(57)【要約】【課題】新しい部品の追加なしで、光源からの照光の拡散性を向上することを実現することで、小型化、及び薄型化を確保しながら混色性が良好な入力装置、携帯電子機器、及び入力装置用キーシートの製造方法を提供する。【解決手段】複数色の光を発する光源と、凹凸を有する凹凸表面部分と、一方の面に押し子部分とを備える樹脂シートと、樹脂シートの押し子部分の裏面に設けられるボタン部分とを備え、複数色の光は、凹凸表面部分から入射して樹脂シートを透過する。【選択図】図５
2011204162.tif 000002
【特許請求の範囲】
【請求項１】
複数色の光を発する光源と、
凹凸を有する凹凸表面部分と、一方の面に押し子部分とを備える樹脂シートと、
前記樹脂シートの前記押し子部分の裏面に設けられるボタン部分と
を備え、
前記複数色の光は、
前記凹凸表面部分から入射して前記樹脂シートを透過する
入力装置。
【請求項２】
請求項１に記載の入力装置であって、
前記光源は、
前記凹凸表面部分と接触して配置される
入力装置。
【請求項３】
請求項１、又は２に記載の入力装置であって、
前記凹凸表面部分は、
前記一方の面に備える
入力装置。
【請求項４】
請求項１乃至３のいずれか１項に記載の入力装置であって、
前記光源は、
前記凹凸表面部分に対して法線方向から光を発する
入力装置。
【請求項５】
請求項１乃至４のいずれか１項に記載の入力装置であって、
前記樹脂シートは、
光硬化性樹脂によって成形される
入力装置。
【請求項６】
請求項１乃至５のいずれか１項に記載の入力装置であって、
前記凹凸表面部分は、
シボ加工によって形成される
入力装置。
【請求項７】
請求項１乃至６のいずれか１項に記載の入力装置であって、
前記凹凸表面部分は、
前記光に指向性を与える
入力装置。
【請求項８】
請求項１乃至７のいずれか１項に記載の入力装置
を備える
携帯電子機器。
【請求項９】
凹凸表面部分の形状に対応する第１の凹部と、押し子部分の形状に対応する第２の凹部とを備える型に光硬化性樹脂を充填するステップと、
前記型から前記光硬化性樹脂への転写によって前記凹凸表面部分と前記押し子部分とを備える樹脂シートを形成するステップと
を備える
入力装置用キーシートの製造方法。
【請求項１０】
請求項９に記載の入力装置に用いられるキーシートの製造方法であって、
前記樹脂シートの前記押し子部分の裏面にボタン部分を設けるステップと、
前記凹凸表面部分に対して法線方向から光を発する位置に前記凹凸表面部分と接触して光源を配置するステップと
を備える
入力装置用キーシートの製造方法。
【発明の詳細な説明】
【技術分野】
【０００１】
本発明は、携帯電子機器のキーシートの構造に関し、特にイルミネーション光の拡散方法に関する。
【背景技術】
【０００２】
携帯電話等の操作部において、複数の入力用のボタン（キートップ）がシリコーンゴム等によって構成された１枚のキーシート上に配置される技術が知られている。一方で、携帯電話等の筐体内部に設けられた発光ダイオード（ＬＥＤ：Ｌｉｇｈｔ−Ｅｍｉｔｔｉｎｇ  Ｄｉｏｄｅ）によってキーシート、又はボタンを照光する製品が出荷されている。
【０００３】
図１は、携帯電話等の操作部のキーシートにおけるＬＥＤの光の見え方の一例を示す概略図である。図１を参照すると、表面実装型のフルカラーＬＥＤ１には、赤１Ｒ（Ｒｅｄ）、緑１Ｇ（Ｇｒｅｅｎ）、及び青１Ｂ（Ｂｌｕｅ）の三色のチップＬＥＤ（素子）が含まれている。赤１Ｒ、緑１Ｇ、及び青１Ｂの３チップＬＥＤがそれぞれ発光し、キーシート上において照光範囲２の広がりを持つ。図１の照光範囲２の破線で例示したように、携帯電話機のキーシート照光用のバックライトＬＥＤがイルミネーションとして使用された場合においてＬＥＤのＲＧＢの光が充分に混色されずにＲＧＢそれぞれの素子の色が直接見えてしまうことがある。
【０００４】
図２は、携帯電話等の操作部におけるキーシートとＬＥＤとの位置関係の一例を示す断面図である。図２を参照すると、上述のＬＥＤ１とキーシート５とが近接した構造となっている。この場合には、ＬＥＤ１の光をキーシート５に透過させるとＲＧＢの三色が充分に混色せずにそれぞれの色が見えてしまうことがある。その対策として、ＬＥＤ１とキーシート５との間隔を広げることが考えられる。しかし、ＬＥＤ１とキーシート５との間隔を広げることによって装置の厚みが増してしまい、商品性の低下につながるため実施されることはない。
【０００５】
上の記述に関連して、照光装置が特開２００２−０２５３２５号公報に開示されている。この例では、基板上のホルダに収納固定された透明の略四角形板状の導光板と、この導光板の一端部の中央部近傍に配設された一つの多色のＬＥＤとを備え、液晶表示パネルを照明している。導光板の一端部の側端面に形成された凹部における受光面の近傍には、円弧状のスリットが設けられ、このスリットにおけるＬＥＤや受光面から遠い方の面には、シボ加工などによって粗面が形成されている。また、導光板の一端部は、端面付近の肉厚が厚く他端に向かって所定の板厚まで徐々に薄くなった断面がテーパ状の厚肉テーパ部が形成されている。これらにより、構成の薄型化及び小型化を図りつつ導光板をムラなく均一に十分な光量で照明可能となるようにしている。
【０００６】
また、特開２００９−０４４２２５号公報には、携帯端末が開示されている。この発明の携帯端末は、画像を表示する画像表示部と、機能に応じた画像及び／または機能に応じた入力キーを表示し、入力キーによる入力操作が可能なキー操作部と、を備え、キー操作部は、光源からの光を透過あるいは拡散させる透過／拡散可変フィルムを有している。
【先行技術文献】
【特許文献】
【０００７】
【特許文献１】特開２００２−０２５３２５号公報
【特許文献２】特開２００９−０４４２２５号公報
【発明の概要】
【発明が解決しようとする課題】
【０００８】
携帯電話等の電子機器における操作部のキーシートをバックライトＬＥＤ等の光源で照光した際に光源の各素子であるＲＧＢ等の異なる色の光が充分に混色されずにキーシート上のイルミネーションの色が意図されたとおりに表現されないことがある。
【０００９】
異なる色の光を混色するためには、光源からキーシートまでの距離を広げること、光源とキーシートとの間に光拡散樹脂等の部品を追加すること等の対策が考えられる。
【００１０】
しかし、上述のような対策では、機器の小型化、及びコスト削減等を阻害するため、現実的でない。
【００１１】
本発明が解決しようとする課題は、新しい部品の追加なしで、光源からの照光の拡散性を向上することを実現することで、小型化、及び薄型化を確保しながら混色性が良好な入力装置、携帯電子機器、及び入力装置用キーシートの製造方法を提供することである。
【課題を解決するための手段】
【００１２】
本発明の入力装置は、複数色の光を発する光源と、凹凸を有する凹凸表面部分と、一方の面に押し子部分とを備える樹脂シートと、樹脂シートの押し子部分の裏面に設けられるボタン部分とを備え、複数色の光は、凹凸表面部分から入射して樹脂シートを透過する。
【００１３】
また、本発明の入力装置用キーシートの製造方法は、凹凸表面部分の形状に対応する第１の凹部と、押し子部分の形状に対応する第２の凹部とを備える型に光硬化性樹脂を充填するステップと、型から光硬化性樹脂への転写によって凹凸表面部分と押し子部分とを備える樹脂シートを形成するステップとを備える。
【発明の効果】
【００１４】
本発明によれば、新しい部品の追加なしで、光源からの照光の拡散性を向上することを実現し、小型化、及び薄型化を確保しながら混色性が良好な入力装置、携帯電子機器、及び入力装置用キーシートの製造方法を提供することが可能となる。
【図面の簡単な説明】
【００１５】
【図１】図１は、携帯電話等の操作部のキーシートにおけるＬＥＤの光の見え方の一例を示す概略図である。
【図２】図２は、携帯電話等の操作部におけるキーシートとＬＥＤとの位置関係の一例を示す概略図である。
【図３】図３は、本発明の実施形態における携帯電子機器の一例である折り畳み式携帯電話の操作部を示す平面図である。
【図４】図４は、本発明の実施形態における携帯電子機器の一例である折り畳み式携帯電話の操作部の構成を示す断面図（図３のＡ−Ａ線における断面図）である。
【図５】図５は、本発明の実施形態における携帯電子機器の一例である折り畳み式携帯電話の操作部の構成を示す要部拡大断面図（図４のａ部の拡大図）である。
【図６】図６は、本発明の実施形態における携帯電子機器の操作部のキーシートにおける照光の見え方の一例を示す概略図である。
【発明を実施するための形態】
【００１６】
以下に、添付図面を参照しながら、本発明の実施形態による入力装置、携帯電子機器、及び入力装置用キーシートの製造方法を詳細に説明する。
【００１７】
図３は、本発明の実施形態における携帯電子機器の一例である折り畳み式携帯電話の操作部を示す平面図である。図３を参照すると、本発明による折り畳み式携帯電話の実施の形態は、図示せぬ液晶側筐体と操作部側の筐体３とが連結部４によって結合されている。筐体３の内部には、図示せぬＩＣ（Ｉｎｔｅｇｒａｔｅｄ  Ｃｉｒｃｕｉｔ）等の電気部品、アンテナ、マイクロフォン、及び電池等が搭載され、音声による通話、並びに文字、及び画像等の通信を実現している。また、後述する光源１（図３には示さず）も筐体３の内部に備えている。
【００１８】
折り畳み式携帯電話の折り畳み時に筐体３の液晶側筐体と対向する操作面にはキーシート５が設けられ、意匠面を形成している。キーシート５は、樹脂シート（キーベース）６と、各種のボタン（キー）７とを含んでいる。各種のボタン７は樹脂シート６の上に接合されている。
【００１９】
樹脂シート６は、軟質の材料によって形成されており、弾性、又は可撓性を有している。また、樹脂シート６は、透光性を有しており、図３には示さぬ光源１からの光を透過可能である。樹脂シート６の材料としてはシリコーンゴム、及び樹脂等が例示される。また、ボタン７は、硬質の材料によって形成されている。また、ボタン７は、透光性を有していても良い。ボタン７の材料としては、ポリカーボネイト樹脂、及びアクリル樹脂等が例示される。各種のボタン７は行列状に配置されており、各ボタン７間には隙間を有する。
【００２０】
また、図３に示した例では、長手方向に並ぶ各ボタン７間の隙間には略直方体状の透光部材８が設けられている。透光部材８としては、透明のアクリル等の樹脂、及びガラス等が例示される。また、この透光部材８の位置に合わせて、後述する光源１の出射部が、透光部材８の受光面側に対向するように筐体３の内部に配置されている。図３では、光源１の照光時におけるその照光範囲２が模式的に例示されている。
【００２１】
図４は、本発明の実施形態における携帯電子機器の一例である折り畳み式携帯電話の操作部の構成を示す断面図（図３のＡ−Ａ線における断面図）である。図４を参照すると、上述のキーシート５の意匠面が左側になるように図上では示されており、図３でも示したように、キーシート５の意匠面側にボタン７、及び透光部材８が設けられている。
【００２２】
キーシート５の意匠面とは反対側、すなわち、筐体内側には樹脂シート６が設けられている。樹脂シート６は、キーシート５の意匠面側には、上述のボタン７、及び透光部材８を固定している。また、樹脂シート６の筐体内側の面は後述する光源１からの光を受ける、いわゆる受光面（入射面）となっている。
【００２３】
また、樹脂シート６のボタン７との接合部分には、樹脂シート６から見てボタン７とは反対側に当たる筐体内側に向かって突出する押し子９が設けられている。したがって、キーシート５は、意匠面となるボタン７と樹脂シート６とに加えて押し子９を更に含んだ構造となっている。
【００２４】
この押し子９部分の材料としては、硬さ（耐擦傷性）と柔軟性（可撓性）とを同時に有する材料が用いられる。例えば、光を照射することで硬化する透明な樹脂である光硬化性樹脂が好適に用いられる。光硬化性樹脂としては、紫外線を照射することで硬化する、すなわち、ＵＶ（ＵｌｔｒａＶｉｏｌｅｔ）硬化樹脂が例示される。なお、本実施形態においては、樹脂シート６と押し子９部分とは一体化した構造となっているものの、押し子９部分に別の材料を用いる形態とすることが限定されるものではない。また、製法に関しても、光硬化性樹脂に限定されるものではなく、熱硬化性樹脂等を用いても構わない。
【００２５】
筐体３内には、基板１０、光源１、及びメンブレンスイッチ１１が設けられている。
【００２６】
筐体３内で、上述のキーシート５（又は、樹脂シート６）と対向する筐体３の面上には基板１０が固定されている。基板１０上には、折り畳み式携帯電話を制御する図示せぬ電子回路、及び記憶装置等が搭載されている。
【００２７】
また、透光部材８の樹脂シート６との接着面と対向する基板１０上の位置には光源１が設けられる。すなわち、光源１の出射面は、樹脂シート６を挟んで透光部材８の接着面と対向する。また、キーシート５と光源１とは可及的接近して配置されており、折り畳み式携帯電話の薄型化を阻害しない。また、キーシート５と光源１とは接触して配置されても良く、その場合には、折り畳み式携帯電話の更なる薄型化を図ることが可能である。
【００２８】
本発明による実施形態における光源１としては、個別に輝度の調整の可能な単色光のＬＥＤを発光素子として三色含み、単体で複数色の発光が可能な多色ＬＥＤ、すなわち、３チップＲＧＢ設計の表面実装型のフルカラーＬＥＤ１が用いられている。しかし、光源１としてはランプ等の他の発光素子を設けても良い。また、光の色についてもＲＧＢの三色に限定されることはなく、光の色の数についても三色に限定されることはなく、自由に選択することができる。
【００２９】
また、押し子９と対向する基板１０上の位置にはメンブレンスイッチ１１が設けられる。本発明の実施形態におけるメンブレンスイッチ１１としては、ドーム状の金属板であるメタルドームシート１１が用いられている。メタルドームシート１１は、その中央部が、押し子９の中央部に対応する位置にそれぞれ配置される。
【００３０】
メタルドームシート１１は、ボタン７が押下されたことを基板１０に伝えるためのメンブレンスイッチ、又はシートスイッチの一種である。メタルドームシート１１は、ボタン７の押下によって弾性変形して基板１０上に設けられた電極と導通し、ボタン７の押下の解除によって元の形態に戻って電極との間の導通を解除する。すなわち、メタルドームシート１１は、押下時にクリック間を有する電気的スイッチとしての機能を有する。
【００３１】
図５は、本発明の実施形態における携帯電子機器の一例である折り畳み式携帯電話の操作部の構成を示す要部拡大断面図（図４のａ部の拡大図）である。
【００３２】
図５を参照すると、樹脂シート６の筐体内側が粗面の構造となっている。より詳しくは、樹脂シート６の筐体内側表面の内で、押し子９部分以外である押し子周辺部の表面に凹凸が設けられている。これは、押し子９を成形する金型の表面に押し子周辺部を平滑にせずに微細な凹凸の模様をつけること、すなわちシボ加工が実施されているものが転写されたものである。
【００３３】
このような、押し子９と粗面とを備える樹脂シート６が形成されるためには、まず押し子９部分の形状に対応する凹部と粗面部分に対応する凹凸とが設けられた金型に光硬化性樹脂が充填される。次に、光硬化性樹脂が、紫外線等の照射によって硬化され、金型から光硬化性樹脂への転写によって、押し子部分と粗面部分とを備える樹脂シートが形成される。
【００３４】
上述の方法によって形成された樹脂シート６の押し子９部分の裏面にボタン７部分が設けられ、粗面を含んだ樹脂シート６の表面に対して法線方向から光を発する位置に粗面部分と可及的に近接、又は接触させて光源１が配置されることによって本発明の実施形態による入力装置が形成される。
【００３５】
こうして、光源１の光導入面（受光面）となる樹脂シート６の押し子９部分以外の表面に光拡散用の凹凸を直接設けることで、光拡散シート等の新たな部品を用いることなく光源１からの光の拡散を行うことができる。
【００３６】
上述の実施形態では、樹脂シート６の片面（光導入側の受光面）に凹凸を設けた例を示した。しかし、樹脂シート６の両面に凹凸を設けることによって拡散性を更に高めることができる。すなわち、受光面側で拡散された光は、透光部材８との接着面側においても更に拡散されることになり、より拡散性が高くて、光の混色が充分になされる実施形態となりうる。なお、両面に凹凸が設けられる際には、光の指向性、及び透過率等を考慮して凹凸の形状が適宜選択される。
【００３７】
次に、図５を参照して本発明の動作について説明する。
【００３８】
キーシート部分のイルミネーション（図３の照光範囲２）の点灯が行われる際には、まず光源１が点灯される。
【００３９】
光源１から発せられた光は、筐体内部のキーシート５（樹脂シート６）の表面において凹凸（シボ）に当たることによって拡散する。
【００４０】
拡散によって、光源１から発せられたＲＧＢそれぞれの色の光が混色される。
【００４１】
混色された光は、キーシート５（樹脂シート６）と透光部材８とを透過し、透光部材８の表面、すなわち、操作部の意匠面上に、意図されたとおりのイルミネーションの色として（図３の照光範囲２）表現される。
【００４２】
図６は、本発明の実施形態における携帯電子機器の操作部のキーシートにおける照光の見え方の一例を示す概略図である。なお、図６では、光源１とキーシート５との位置関係を分かりやすくするために、本来は、キーシート５に隠れて見ることのできない光源１、並びに赤１Ｒ、緑１Ｇ、及び青１Ｂの発光素子を提示している。
【００４３】
図６を参照すると、表面実装型のフルカラーＬＥＤ（光源）１の赤１Ｒ、緑１Ｇ、及び青１Ｂの３チップＬＥＤがそれぞれ発光してそれぞれの光が拡散して一体となり、キーシート５上において照光範囲２の広がりを持つ。図６に示すように、光が良好に拡散されているため、光源１のＲＧＢそれぞれの光が充分に混色されることとなる。
【００４４】
本発明の実施形態の別形態としては、押し子９部分以外の樹脂シート６の表面に、凹凸（シボ）を設ける以外に、チェック柄やストライプ柄の繰り返し模様等を施す構成としても良い。この構成においては、光源１からの光の向きを統一して光に指向性を持たせ、透過した光で模様を形成することが可能となる。
【００４５】
上述した実施の形態においては、本発明による入力装置、携帯電子機器、及び入力装置用キーシートの製造方法の一例として折り畳み式携帯電話を例示した。しかし、本発明は、折り畳み式携帯電話に限定されるものではなく、キーシートによる操作部にイルミネーション効果のある光源を有する各種携帯電子機器に適用できる。例えば、折り畳み式に限らずに携帯電話機全般、ＰＨＳ（Ｐｅｒｓｏｎａｌ  Ｈａｎｄｙ−ｐｈｏｎｅ  Ｓｙｓｔｅｍ）、電子辞書、電卓、ノート型パーソナルコンピュータ等が挙げられる。また、本発明は、上述した携帯電子機器に限らず、検査機器、及び計量機器等の産業用機械、並びに炊飯器、及び洗濯機等の民生電化製品等のキーシートが用いられている各種機器に適用されうる。
【００４６】
以上、携帯電子機器のキーシート部分の光源によるイルミネーション光をキーシート（樹脂シート）の構造によって拡散させる構成についての説明を行った。
【００４７】
本発明では、キーシートの押し子面を構成する樹脂シートの表面に凹凸（シボ）加工を実施して、光源からのイルミネーション光を凹凸（シボ）に当てることによって拡散させ、光源の各色の光を混色するようにした。
【００４８】
これによって、イルミネーション光を見る角度によって色が異なったり、混色が不充分であったり、素子の色が直接見えたりすることがなく、キーシート上のイルミネーションの色が意図されたとおりに表現されることを可能とする。
【００４９】
また、本発明では、樹脂シートを成形する際に用いられる金型に凹凸の加工を予めしておくことによって、押し子を備える樹脂を成形する製造工程において同時に樹脂シートの表面に凹凸を形成することができるため、製造における手間、及びコストが増えることがない。
【００５０】
また、電子機器の小型化、及び薄型化が進み、水光源とキーシートとの距離が近接するほど異なる色の光を混色しにくくなる。それに対し、本発明においては、光を拡散、及び異なる色の光を混色するために光源からキーシートまでの距離を広げること、並びに導光板、スリット、及び光拡散樹脂等の新たに部品を追加することもないので機器の厚さの抑制やコストの抑制が可能である。これによって商品性の低下も阻止することが可能である。
【００５１】
以上によって、本発明によれば、新しい部品の追加なしで、光源からの照光の拡散性を向上することを実現し、小型化、及び薄型化を確保しながら混色性が良好な入力装置、携帯電子機器、及び入力装置用キーシートの製造方法を提供することが可能となる。
【００５２】
以上、本発明の実施形態を説明した。しかし、本発明は上記実施形態に限定されるものではなく、本発明の要旨を逸脱しない範囲内で種々変形して実施することができる。
【００５３】
上記の実施形態の一部又は全部は、以下の付記のようにも記載されうるが、以下には限られない。
【００５４】
（付記１）
複数色の光を発する光源と、
凹凸を有する凹凸表面部分と、一方の面に押し子部分とを備える樹脂シートと、
前記樹脂シートの前記押し子部分の裏面に設けられるボタン部分と
を備え、
前記複数色の光は、
前記凹凸表面部分から入射して前記樹脂シートを透過する
入力装置。
【００５５】
（付記２）
付記１に記載の入力装置であって、
前記光源は、
前記凹凸表面部分と接触して配置される
入力装置。
【００５６】
（付記３）
付記１、又は２に記載の入力装置であって、
前記凹凸表面部分は、
前記一方の面に備える
入力装置。
【００５７】
（付記４）
付記１乃至３のいずれか１項に記載の入力装置であって、
前記光源は、
前記凹凸表面部分に対して法線方向から光を発する
入力装置。
【００５８】
（付記５）
付記１乃至４のいずれか１項に記載の入力装置であって、
前記樹脂シートは、
光硬化性樹脂によって成形される
入力装置。
【００５９】
（付記６）
付記１乃至５のいずれか１項に記載の入力装置であって、
前記光源は、
赤色発光素子と、緑色発光素子と、青色発光素子とを含む
入力装置。
【００６０】
（付記７）
付記１乃至６のいずれか１項に記載の入力装置であって、
前記光源は、
発光ダイオードを備える
入力装置。
【００６１】
（付記８）
付記１乃至７のいずれか１項に記載の入力装置であって、
前記凹凸表面部分は、
シボ加工によって形成される
入力装置。
【００６２】
（付記９）
付記１乃至８のいずれか１項に記載の入力装置であって、
前記凹凸表面部分は、
前記光に指向性を与える
入力装置。
【００６３】
（付記１０）
付記９に記載の入力装置であって、
前記凹凸表面部分は、
繰り返し模様を備える
入力装置。
【００６４】
（付記１１）
付記１乃至１０のいずれか１項に記載の入力装置であって、
前記樹脂シートの前記裏面の前記光の透過した位置に透光部材を更に備える
入力装置。
【００６５】
（付記１２）
付記１乃至１１のいずれか１項に記載の入力装置
を備える
携帯電子機器。
【００６６】
（付記１３）
凹凸表面部分の形状に対応する第１の凹部と、押し子部分の形状に対応する第２の凹部とを備える型に光硬化性樹脂を充填するステップと、
前記型から前記光硬化性樹脂への転写によって前記凹凸表面部分と前記押し子部分とを備える樹脂シートを形成するステップと
を備える
入力装置用キーシートの製造方法。
【００６７】
（付記１４）
付記１３に記載の入力装置に用いられるキーシートの製造方法であって、
前記樹脂シートの前記押し子部分の裏面にボタン部分を設けるステップと、
前記凹凸表面部分に対して法線方向から光を発する位置に前記凹凸表面部分と接触して光源を配置するステップと
を備える
入力装置用キーシートの製造方法。
【符号の説明】
【００６８】
１    光源（ＬＥＤ）
１Ｒ  赤色光源
１Ｇ  緑色光源
１Ｂ  青色光源
２    照光範囲
３    筐体
４    連結部
５    キーシート
６    樹脂シート
７    ボタン（キー）
８    透光部材
９    押し子
１０  基板
１１  メンブレンスイッチ（メタルドームシート）
【図１】
2011204162.tif 000003
【図２】
2011204162.tif 000004
【図３】
2011204162.tif 000005
【図４】
2011204162.tif 000006
【図５】
2011204162.tif 000007
【図６】
2011204162.tif 000008